(57)【要約】【課題】買物データを容易にかつ適切に外部に開示すること。【解決手段】本発明の端末装置は、データを取得するデータ取得部と、前記データを記憶部に記憶させる記憶制御部と、前記データの組み合わせに基づいて、前記データを外部に送信するか否かを決定する決定部と、前記決定部によって外部に送信すると決定された場合に、前記データを外部に送信する送信部と、を備える。【選択図】図１
2013178625.tif 000002
【特許請求の範囲】
【請求項１】
データを取得するデータ取得部と、
前記データを記憶部に記憶させる記憶制御部と、
前記データの組み合わせに基づいて、前記データを外部に送信するか否かを決定する決定部と、
前記決定部によって外部に送信すると決定された場合に、前記データを外部に送信する送信部と、
を備える端末装置。
【請求項２】
前記決定部は、前記データが商品の商品名情報と金額情報との組み合わせである場合に、前記データを外部に送信すると決定する、請求項１に記載の端末装置。
【請求項３】
前記送信部は、前記データを複数の装置に送信するために外部に送信する、請求項２に記載の端末装置。
【請求項４】
位置情報を取得する位置情報取得部をさらに備え、
前記送信部は、前記データを前記位置情報と対応付けて送信する、請求項２または３に記載の端末装置。
【請求項５】
前記位置情報取得部は、前記位置情報として、前記商品を販売する店舗の位置情報または前記店舗が含まれる施設の位置情報を取得する、請求項４に記載の端末装置。
【請求項６】
前記位置情報取得部は、前記位置情報として、前記端末装置の位置情報を取得する、請求項４に記載の端末装置。
【請求項７】
第１端末装置と、第２端末装置と、を含む通信システムであって、
前記第１端末装置は、
データを取得するデータ取得部と、
前記データを記憶部に記憶させる記憶制御部と、
前記データの組み合わせに基づいて、前記データを外部に送信するか否かを決定する決定部と、
前記決定部によって外部に送信すると決定された場合に、前記データを外部に送信する送信部と、
を備え、
前記第２端末装置は、
前記送信部によって送信されたデータを受信する受信部と、
前記受信部によって受信されたデータをユーザに報知する報知部と、
を備える通信システム。
【請求項８】
前記決定部は、前記データが商品の商品名情報と金額情報との組み合わせである場合に、前記データを外部に送信すると決定する、請求項７に記載の通信システム。
【請求項９】
前記第１端末装置は、位置情報を取得する位置情報取得部をさらに備え、
前記送信部は、前記データを前記位置情報と対応付けて送信し、
前記受信部は、前記位置情報と対応付けられた前記データを受信する、請求項８に記載の通信システム。
【請求項１０】
前記位置情報取得部は、前記位置情報として、前記商品を販売する店舗の位置情報または前記店舗が含まれる施設の位置情報を取得する、請求項９に記載の通信システム。
【請求項１１】
前記位置情報取得部は、前記位置情報として、前記第１端末装置の位置情報を取得する、請求項９に記載の通信システム。
【請求項１２】
前記第２端末装置は、前記第２端末装置の現在位置を検出する検出部をさらに備え、
前記受信部は、前記検出部によって検出された現在位置に対応する位置情報が対応付けられた前記データを受信する、請求項９から１１のいずれか１項に記載の通信システム。
【請求項１３】
端末装置が行う通信方法であって、
データを取得し、
前記データを記憶部に記憶させ、
前記データの組み合わせに基づいて、前記データを外部に送信するか否かを決定し、
前記データを外部に送信すると決定された場合に、前記データを外部に送信する、
通信方法。
【請求項１４】
端末装置に、
データを取得する手順と、
前記データを記憶部に記憶させる手順と、
前記データの組み合わせに基づいて、前記データを外部に送信するか否かを決定する手順と、
前記データを外部に送信すると決定された場合に、前記データを外部に送信する手順と、
を実行させるためのプログラム。
【発明の詳細な説明】
【技術分野】
【０００１】
本発明は、端末装置がデータを外部に開示するための技術に関する。
【背景技術】
【０００２】
商品を販売する店舗においては、販売促進のために、特定の商品をお買い得商品として格安で販売することが日常的に行われている。
【０００３】
このようなお買い得商品の情報は、ユーザ間で共有できれば、ユーザにとって非常に便利である。ユーザ間でお買い得商品の情報を共有する方法としては、お買い得商品の買物をしたユーザが、そのときの買物内容を示す買物データを他者に開示する方法が挙げられる。この方法を実現するためには、買物データを外部に開示する技術が必要である。
【０００４】
ユーザが買物データを外部に開示する技術として、例えば、特許文献１には、携帯通信端末が、電子レシートの内容の読み出しを行って、そこに記載された商品購入の履歴であるレシート情報を外部（集計エージェント）に送信する技術が開示されている。
【先行技術文献】
【特許文献】
【０００５】
【特許文献１】特開２００６−１９５５５２号公報
【発明の概要】
【発明が解決しようとする課題】
【０００６】
上述のように、特許文献１に開示された技術においては、電子レシートに記載されたレシート情報を外部に送信する。しかし、レシートには、ユーザが非開示にしたいデータ（例えば、合計金額等のデータ）も含まれている。そのため、特許文献１に開示された技術においては、そのようなデータも外部に送信されてしまう可能性がある。
【０００７】
そこで、ユーザが、レシート情報の中から、開示を許可するデータを選択して、選択したデータのみを送信することも考えられる。しかし、その場合、ユーザ操作でデータを選択する必要があり、非常に面倒である。
【０００８】
本発明の目的は、上述した課題を解決し、買物データを容易にかつ適切に外部に開示することができる端末装置、通信システム、通信方法、プログラムを提供することにある。
【課題を解決するための手段】
【０００９】
本発明の端末装置は、
データを取得するデータ取得部と、
前記データを記憶部に記憶させる記憶制御部と、
前記データの組み合わせに基づいて、前記データを外部に送信するか否かを決定する決定部と、
前記決定部によって外部に送信すると決定された場合に、前記データを外部に送信する送信部と、
を備える。
【００１０】
本発明の通信システムは、
第１端末装置と、第２端末装置と、を含む通信システムであって、
前記第１端末装置は、
データを取得するデータ取得部と、
前記データを記憶部に記憶させる記憶制御部と、
前記データの組み合わせに基づいて、前記データを外部に送信するか否かを決定する決定部と、
前記決定部によって外部に送信すると決定された場合に、前記データを外部に送信する送信部と、
を備え、
前記第２端末装置は、
前記送信部によって送信されたデータを受信する受信部と、
前記受信部によって受信されたデータをユーザに報知する報知部と、
を備える。
【００１１】
本発明の通信方法は、
端末装置が行う通信方法であって、
データを取得し、
前記データを記憶部に記憶させ、
前記データの組み合わせに基づいて、前記データを外部に送信するか否かを決定し、
前記データを外部に送信すると決定された場合に、前記データを外部に送信する。
【００１２】
本発明のプログラムは、
端末装置に、
データを取得する手順と、
前記データを記憶部に記憶させる手順と、
前記データの組み合わせに基づいて、前記データを外部に送信するか否かを決定する手順と、
前記データを外部に送信すると決定された場合に、前記データを外部に送信する手順と、
を実行させる。
【発明の効果】
【００１３】
本発明によれば、買物データを容易にかつ適切に外部に開示することができるという効果が得られる。
【図面の簡単な説明】
【００１４】
【図１】本発明の第１および第２の実施形態の通信システムの構成を示すブロック図である。
【図２】本発明の第１の実施形態の通信システムにおける買物データの送信時の動作の一例を説明するシーケンス図である。
【図３】本発明の第１の実施形態の通信システムにおける買物データの受信時の動作の一例を説明するシーケンス図である。
【図４】本発明の第２の実施形態の通信システムにおける買物データの送信時の動作の一例を説明するシーケンス図である。
【発明を実施するための形態】
【００１５】
以下に、本発明を実施するための形態について図面を参照して説明する。
（１）第１の実施形態
（１−１）第１の実施形態の構成
（１−１−１）通信システムの全体構成
図１に示すように、本実施形態の通信システムは、端末装置１０と、端末装置２０と、店舗サーバ３０と、外部サーバ４０と、を有し、これらがネットワーク５０を介して接続された構成になっている。
【００１６】
端末装置１０は、ユーザが店舗で買物をしたときの買物内容を示す買物データを、ネットワーク５０を介して外部サーバ４０に送信する第１端末装置である。
【００１７】
端末装置２０は、端末装置１０が送信した買物データを、外部サーバ４０からネットワーク５０を介して受信する第２端末装置である。
【００１８】
店舗サーバ３０は、商品を販売する店舗に設置されたサーバであり、ユーザの買物時に会計処理を行うＰＯＳ（Point Of Sale）レジスタの機能を備えるか、または、ＰＯＳレジスタとのデータ通信が可能な構成である。
【００１９】
外部サーバ４０は、端末装置１０と端末装置２０との間で買物データの送受信を行うためのサービスを提供するサーバである。例えば、外部サーバ４０は、ユーザが投稿したブログ（ウェブログ。マイクロブログ等を含む）を管理するブログサーバ、ユーザ間で情報共有をするためのコミュニティサイトを管理する情報共有サーバ、ユーザ間の電子メールの送受信を管理するメールサーバ等である。
【００２０】
なお、図１においては、説明の便宜のため、端末装置１０、端末装置２０、店舗サーバ３０、および外部サーバ４０が、それぞれ１つずつ示されているが、これらは複数設けられていても良い。
【００２１】
また、図１においては、端末装置１０、端末装置２０、店舗サーバ３０、および外部サーバ４０の内部の構成要素のうち本発明の特徴的な部分の構成要素のみを示し、その他の構成要素は省略している。
（１−１−２）端末装置１０の構成
端末装置１０は、データ取得部１１と、記憶制御部１２と、記憶部１３と、決定部１４と、位置情報取得部１５と、送信部１６と、を有している。
【００２２】
データ取得部１１は、ユーザが店舗で買物をしたときに買物データを取得する。例えば、買物データは、店舗名の情報、商品の商品名の情報と金額の情報との組み合わせ、合計金額の情報等である。また、買物データは、ユーザの手入力、レシートの画像認識、店舗サーバ３０とのデータ通信等によって取得することが考えられる。
【００２３】
記憶制御部１２は、データ取得部１１が取得した買物データを記憶部１３に記憶させる。
【００２４】
記憶部１３は、買物データ等を記憶する。なお、記憶部１３は、端末装置１０の内部に設ける必要はなく、外部に設けても良い。
【００２５】
決定部１４は、記憶部１３に記憶された買物データの組み合わせを判別し、買物データの組み合わせに基づいて、買物データを外部に送信するか否かを決定する。例えば、決定部１４は、買物データが商品の商品名の情報と金額の情報との組み合わせである場合に、買物データを外部に送信すると決定する。
【００２６】
位置情報取得部１５は、店舗の位置情報または店舗が含まれる施設（ショッピングモール、アミューズメント施設等）の位置情報を取得する。例えば、店舗や施設の位置情報は、店舗サーバ３０から取得したり、店舗や施設に設置された任意の装置（例えば、店舗や施設の出入り口に設置されたゲートに内蔵された装置等）から取得したりすることが考えられる。
【００２７】
送信部１６は、決定部１４が外部に送信すると決定した買物データを、位置情報取得部１５が取得した位置情報を付加して対応付けた上で、ネットワーク５０を介して外部サーバ４０に送信する。
（１−１−３）端末装置２０の構成
端末装置２０は、検出部２１と、記憶部２２と、受信部２３と、報知部２４と、を有している。
【００２８】
検出部２１は、端末装置２０の現在位置を検出する。端末装置２０の現在位置は、端末装置２０の位置情報を取得して検出したり、店舗や施設の出入り口に設置されたゲートをくぐったことを検知（例えば、ゲートに内蔵された装置から報知された位置情報を受信して検知）して検出したりすることが考えられる。また、端末装置２０の位置情報は、ＧＰＳ（Global Positioning System）を利用して取得したり、基地局から取得したり、位置情報サーバから取得したりすることが考えられる。
【００２９】
記憶部２２は、検出部２１が検出した現在位置の情報等を記憶する。なお、記憶部２２は、端末装置２０の内部に設ける必要はなく、外部に設けても良い。
【００３０】
受信部２３は、送信部１６が外部サーバ４０に送信した買物データのうち、検出部２１が検出した現在位置に対応する位置情報が対応付けられた買物データを、外部サーバ４０からネットワーク５０を介して受信する。ここで、現在位置に対応する位置情報とは、現在位置から所定の範囲内にある位置を示す位置情報を指す。
【００３１】
報知部２４は、受信部２３が受信した買物データをユーザに報知する。報知の方法としては、例えば、買物データを表示部に表示することが考えられる。
（１−１−４）店舗サーバ３０の構成
店舗サーバ３０は、送受信部３１と、記憶部３２と、を有している。
【００３２】
記憶部３２は、店舗の店舗名の情報、位置情報、買物データ（ＰＯＳレジスタから取得）等を記憶する。
【００３３】
送受信部３１は、記憶部３２が記憶しているデータを端末装置１０，２０に送信する処理等を行う。
（１−１−５）外部サーバ４０の構成
外部サーバ４０は、送受信部４１と、記憶部４２と、を有している。
【００３４】
送受信部４１は、端末装置１０からネットワーク５０を介して買物データを受信する処理と、ネットワーク５０を介して端末装置２０に買物データを送信する処理とを行う。
【００３５】
記憶部４２は、端末装置１０から受信した買物データと、買物データに付加された位置情報と、を対応付けて記憶する。
（１−２）第１の実施形態の動作
以下、本実施形態の通信システムの動作について説明する。
【００３６】
なお、以下では、外部サーバ４０として、ブログサーバ、情報共有サーバ、およびメールサーバの計３つのサーバが設けられているものとする。
（１−２−１）買物データの送信時の動作
まず、端末装置１０が買物データを送信する時の動作について、図２のシーケンス図を参照して説明する。
【００３７】
図２に示すように、端末装置１０のユーザが店舗に入店すると、端末装置１０の位置情報取得部１５は、店舗サーバ３０の送受信部３１とデータ通信（例えば、近距離無線通信）を行って、記憶部３２に記憶された店舗の店舗名の情報と位置情報を取得する（ステップＡ１）。ここで取得された情報は、位置情報取得部１５が記憶部１３に記憶させる（ステップＡ２）。
【００３８】
以降に、端末装置１０のユーザが商品の買物をし、レシートを受領すると、端末装置１０のデータ取得部１１は、レシートを画像認識して、店舗名の情報、日時の情報、商品名の情報と金額の情報との組み合わせ、合計金額の情報の各買物データを取得する（ステップＡ３）。
【００３９】
次に、端末装置１０の記憶制御部１２は、ステップＡ３で取得された各買物データを記憶部１３に記憶させる（ステップＡ４）。
【００４０】
次に、端末装置１０の決定部１４は、買物データの組み合わせを判別し（ステップＡ５）、買物データが商品名の情報と金額の情報との組み合わせである場合、買物データを外部に送信すると決定する（ステップＡ６）。
【００４１】
以降の動作は、どの外部サーバ４０に買物データを送信するかに応じて異なる。
【００４２】
例えば、買物データを外部サーバ（ブログサーバ）４０に送信する場合、送信部１６は、ステップＡ６で決定した買物データ（商品名の情報と金額の情報との組み合わせ）に、送信者ＩＤ（名前、ニックネームなど）と、ステップＡ１で取得した店舗の位置情報と、ステップＡ３で取得した店舗名の情報、日時の情報の各買物データと、を付加する（ステップＡ７）。その後、送信部１６は、商品名の情報と金額の情報との組み合わせ、店舗名の情報、日時の情報の各買物データと、送信者ＩＤと、店舗の位置情報と、をネットワーク５０を介して外部サーバ（ブログサーバ）４０に送信する（ステップＡ８）。
【００４３】
また、買物データを外部サーバ（情報共有サーバ）４０に送信する場合、送信部１６は、ステップＡ６で決定した買物データ（商品名の情報と金額の情報との組み合わせ）に、送信者ＩＤ（名前、ニックネームなど）と、ステップＡ１で取得した店舗の位置情報と、ステップＡ３で取得した店舗名の情報、日時の情報の各買物データと、を付加する（ステップＡ７）。その後、送信部１６は、商品名の情報と金額の情報との組み合わせ、店舗名の情報、日時の情報の各買物データと、送信者ＩＤと、店舗の位置情報と、をネットワーク５０を介して外部サーバ（情報共有サーバ）４０に送信する（ステップＡ８）。
【００４４】
また、買物データを外部サーバ（メールサーバ）４０に送信する場合、送信部１６は、ステップＡ６で決定した買物データ（商品名の情報と金額の情報との組み合わせ）に、送信者ＩＤ（名前、メールアドレスなど）と、ステップＡ１で取得した店舗の位置情報と、ステップＡ３で取得した店舗名の情報、日時の情報の各買物データと、を付加する（ステップＡ７）。その後、送信部１６は、商品名の情報と金額の情報との組み合わせ、店舗名の情報、日時の情報の各買物データと、送信者ＩＤと、店舗の位置情報と、を含む電子メールを、特定の相手（予め登録された相手）を宛先として、ネットワーク５０を介して外部サーバ（メールサーバ）４０に送信する（ステップＡ８）。
【００４５】
その後、外部サーバ４０の送受信部４１は、端末装置１０から受信した各買物データと、送信者ＩＤと、位置情報と、を対応付けて記憶部４２に記憶させる（ステップＡ９）。
【００４６】
なお、本実施形態においては、端末装置１０は、買物データを表示部に表示する場合、外部サーバ４０に送信した買物データを識別可能に表示しても良い（例えば、色を変える、マークを付ける等）。
【００４７】
また、本実施形態においては、端末装置１０は、外部サーバ４０に送信する買物データ（商品名の情報と金額の情報との組み合わせ）が複数ある場合は、それらの買物データをまとめて送信しても良いし、個別に送信しても良い。
【００４８】
また、本実施形態においては、端末装置１０は、買物データ（商品名の情報と金額の情報との組み合わせ）を送信する前に、ユーザの確認（表示部において、送信可否を確認する表示をする）を行うようにしても良い。
【００４９】
また、本実施形態においては、端末装置１０は、買物データを、レシートからの取得に限らず、ユーザの手入力や、店舗サーバ３０とのデータ通信等によって取得しても良い。
【００５０】
また、本実施形態においては、端末装置１０は、店舗の位置情報を利用するため、買物データの取得（ユーザの手入力やレシートから買物データを取得する場合に限る）は、店舗内に限らず、自宅で行っても良い。
【００５１】
また、本実施形態においては、端末装置１０は、メールサーバに買物データを送信する場合、買物データを他のユーザに広く知らせるために、特定の相手として複数人を予め登録しておくことが好ましい。
【００５２】
また、本実施形態においては、端末装置１０は、ブログサーバ、情報共有サーバ、およびメールサーバのうち、少なくとも１つに買物データ（商品名の情報と金額の情報との組み合わせ）を送信すれば良い。また、外部サーバ４０は、ブログサーバ、情報共有サーバ、およびメールサーバ以外のサーバでも良い。
【００５３】
また、本実施形態においては、端末装置１０は、買物データ（商品名の情報と金額の情報との組み合わせ）には、商品の個数の情報を含めるようにしても良い。
（１−２−２）買物データの受信時の動作
次に、端末装置２０が買物データを受信する時の動作について、図３のシーケンス図を参照して説明する。
【００５４】
図３に示すように、端末装置２０のユーザが店舗に入店すると、端末装置２０の検出部２１は、店舗サーバ３０の送受信部３１とデータ通信（例えば、近距離無線通信）を行って、記憶部３２に記憶された店舗の店舗名の情報と位置情報を取得する（ステップＢ１）。ここで取得された情報は、検出部２１が記憶部２２に記憶させる（ステップＢ２）。
【００５５】
以降の動作は、どの外部サーバ４０から買物データを受信するかに応じて異なる。
【００５６】
例えば、買物データを外部サーバ（ブログサーバ）４０から受信する場合、受信部２３は、ネットワーク５０を介して外部サーバ（ブログサーバ）４０にアクセスし、記憶部４２に記憶されたデータの中から、ステップＢ１で取得した店舗の位置情報に対応付けられたデータを検索する。データが検索された場合、受信部２３は、検索されたデータ、すなわち、商品名の情報と金額の情報との組み合わせ、店舗名の情報、日時の情報の各買物データと、送信者ＩＤ（名前、ニックネームなど）と、を外部サーバ（ブログサーバ）４０から受信し（ステップＢ３）、これらのデータを表示部に表示することでユーザに報知する（ステップＢ４）。
【００５７】
また、買物データを外部サーバ（情報共有サーバ）４０から受信する場合、受信部２３は、ネットワーク５０を介して外部サーバ（情報共有サーバ）４０にアクセスし、記憶部４２に記憶されたデータの中から、ステップＢ１で取得した店舗の位置情報に対応付けられたデータを検索する。データが検索された場合、受信部２３は、検索されたデータ、すなわち、商品名の情報と金額の情報との組み合わせ、店舗名の情報、日時の情報の各買物データと、送信者ＩＤ（名前、ニックネームなど）と、を外部サーバ（情報共有サーバ）４０から受信し（ステップＢ３）、これらのデータを表示部に表示することでユーザに報知する（ステップＢ４）。
【００５８】
また、買物データを外部サーバ（メールサーバ）４０から受信する場合、受信部２３は、ネットワーク５０を介して外部サーバ（メールサーバ）４０にアクセスし、端末装置２０宛の電子メールを受信する（ステップＢ３）。次に、受信部２３は、ステップＢ３で受信した電子メールの中から、ステップＢ１で取得した店舗の位置情報に対応付けられたデータを含む電子メールを検索する。電子メールが検索された場合、受信部２３は、検索された電子メールに含まれるデータ、すなわち、商品名の情報と金額の情報との組み合わせ、店舗名の情報、日時の情報の各買物データと、送信者ＩＤ（名前、メールアドレスなど）と、を表示部に表示することでユーザに報知する（ステップＢ４）。
【００５９】
なお、本実施形態においては、端末装置２０は、ブログサーバ、情報共有サーバ、およびメールサーバのうち、少なくとも１つから買物データ（商品名の情報と金額の情報との組み合わせ）を受信すれば良い。また、外部サーバ４０は、ブログサーバ、情報共有サーバ、およびメールサーバ以外のサーバでも良い。
（１−３）第１の実施形態の効果
上述したように本実施形態においては、端末装置１０は、買物データの組み合わせに基づいて、買物データを外部に送信するか否かを決定し、外部に送信すると決定された買物データを外部サーバ４０に送信する。
【００６０】
したがって、買物データが予め決められた情報同士の組み合わせである場合にのみ外部に送信できるため、例えば、買物データが商品名の情報と金額の情報との組み合わせであれば外部に送信し、合計金額の情報であれば送信しないといったことも可能になる。また、外部に送信する買物データは、ユーザ操作を介さず、自動で決定される。
【００６１】
よって、買物データを容易にかつ適切に外部に開示することができるという効果が得られる。
（２）第２の実施形態
（２−１）第２の実施形態の構成
本実施形態は、第１の実施形態と比較して、構成自体は同様である。
【００６２】
ただし、端末装置１０の位置情報取得部１５は、第１の実施形態においては、店舗または施設の位置情報を取得するのに対して、本実施形態においては、端末装置１０の位置情報を取得する点で異なっている。例えば、端末装置１０の位置情報は、ＧＰＳを利用して取得したり、基地局から取得したり、位置情報サーバから取得したりすることが考えられる。
（２−２）第２の実施形態の動作
以下、本実施形態の通信システムの動作について説明する。
【００６３】
なお、以下では、第１の実施形態と同様に、外部サーバ４０として、ブログサーバ、情報共有サーバ、およびメールサーバの計３つのサーバが設けられているものとする。
（２−２−１）買物データの送信時の動作
まず、端末装置１０が買物データを送信する時の動作について、図４のシーケンス図を参照して説明する。
【００６４】
図４に示すように、端末装置１０のユーザが店舗に入店し、商品の買物をし、レシートを受領すると、端末装置１０のデータ取得部１１は、レシートを画像認識して、店舗名の情報、日時の情報、商品名の情報と金額の情報との組み合わせ、合計金額の情報の各買物データを取得する（ステップＣ１）。
【００６５】
次に、端末装置１０の記憶制御部１２は、ステップＣ１で取得された各買物データを記憶部１３に記憶させる（ステップＣ２）。
【００６６】
次に、端末装置１０の決定部１４は、買物データの組み合わせを判別し（ステップＣ３）、買物データが商品名の情報と金額の情報との組み合わせである場合、買物データを外部に送信すると決定する（ステップＣ４）。
【００６７】
以降の動作は、どの外部サーバ４０に買物データを送信するかに応じて異なる。
【００６８】
例えば、買物データを外部サーバ（ブログサーバ）４０に送信する場合、送信部１６は、ステップＣ４で決定した買物データ（商品名の情報と金額の情報との組み合わせ）に、送信者ＩＤ（名前、ニックネームなど）と、ステップＣ１で取得した店舗名の情報、日時の情報の各買物データと、を付加する。次に、位置情報取得部１５は、端末装置１０の位置情報を取得する（ステップＣ５）。次に、送信部１６は、ステップＣ４で決定した買物データ（商品名の情報と金額の情報との組み合わせ）に、ステップＣ５で取得した端末装置１０の位置情報をさらに付加する（ステップＣ６）。その後、送信部１６は、商品名の情報と金額の情報との組み合わせ、店舗名の情報、日時の情報の各買物データと、送信者ＩＤと、端末装置１０の位置情報と、をネットワーク５０を介して外部サーバ（ブログサーバ）４０に送信する（ステップＣ７）。
【００６９】
また、買物データを外部サーバ（情報共有サーバ）４０に送信する場合、送信部１６は、ステップＣ４で決定した買物データ（商品名の情報と金額の情報との組み合わせ）に、送信者ＩＤ（名前、ニックネームなど）と、ステップＣ１で取得した店舗名の情報、日時の情報の各買物データと、を付加する。次に、位置情報取得部１５は、端末装置１０の位置情報を取得する（ステップＣ５）。次に、送信部１６は、ステップＣ４で決定した買物データ（商品名の情報と金額の情報との組み合わせ）に、ステップＣ５で取得した端末装置１０の位置情報をさらに付加する（ステップＣ６）。その後、送信部１６は、商品名の情報と金額の情報との組み合わせ、店舗名の情報、日時の情報の各買物データと、送信者ＩＤと、端末装置１０の位置情報と、をネットワーク５０を介して外部サーバ（情報共有サーバ）４０に送信する（ステップＣ７）。
【００７０】
また、買物データを外部サーバ（メールサーバ）４０に送信する場合、送信部１６は、ステップＣ４で決定した買物データ（商品名の情報と金額の情報との組み合わせ）に、送信者ＩＤ（名前、ニックネームなど）と、ステップＣ１で取得した店舗名の情報、日時の情報の各買物データと、を付加する。次に、位置情報取得部１５は、端末装置１０の位置情報を取得する（ステップＣ５）。次に、送信部１６は、ステップＣ４で決定した買物データ（商品名の情報と金額の情報との組み合わせ）に、ステップＣ５で取得した端末装置１０の位置情報をさらに付加する（ステップＣ６）。その後、送信部１６は、商品名の情報と金額の情報との組み合わせ、店舗名の情報、日時の情報の各買物データと、送信者ＩＤと、端末装置１０の位置情報と、を含む電子メールを、特定の相手（予め登録された相手）を宛先として、ネットワーク５０を介して外部サーバ（メールサーバ）４０に送信する（ステップＣ７）。
【００７１】
その後、外部サーバ４０の送受信部４１は、端末装置１０から受信した各買物データと、送信者ＩＤと、位置情報と、を対応付けて記憶部４２に記憶させる（ステップＣ８）。
【００７２】
なお、本実施形態においては、端末装置１０は、買物データを表示部に表示する場合、外部サーバ４０に送信した買物データを識別可能に表示しても良い（例えば、色を変える、マークを付ける等）。
【００７３】
また、本実施形態においては、端末装置１０は、外部サーバ４０に送信する買物データ（商品名の情報と金額の情報との組み合わせ）が複数ある場合は、それらの買物データをまとめて送信しても良いし、個別に送信しても良い。
【００７４】
また、本実施形態においては、端末装置１０は、買物データ（商品名の情報と金額の情報との組み合わせ）を送信する前に、ユーザの確認（表示部において、送信可否を確認する表示をする）を行うようにしても良い。
【００７５】
また、本実施形態においては、端末装置１０は、買物データを、レシートからの取得に限らず、ユーザの手入力や、店舗サーバ３０とのデータ通信等によって取得しても良い。
【００７６】
また、本実施形態においては、端末装置１０は、端末装置１０の位置情報を利用するため、買物データの取得は、店舗内で行う必要がある。
【００７７】
また、本実施形態においては、端末装置１０は、メールサーバに買物データを送信する場合、買物データを他のユーザに広く知らせるために、特定の相手として複数人を予め登録しておくことが好ましい。
【００７８】
また、本実施形態においては、端末装置１０は、ブログサーバ、情報共有サーバ、およびメールサーバのうち、少なくとも１つに買物データ（商品名の情報と金額の情報との組み合わせ）を送信すれば良い。また、外部サーバ４０は、ブログサーバ、情報共有サーバ、およびメールサーバ以外のサーバでも良い。
【００７９】
また、本実施形態においては、端末装置１０は、買物データ（商品名の情報と金額の情報との組み合わせ）には、商品の個数の情報を含めるようにしても良い。
（２−２−２）買物データの受信時の動作
本実施形態において、端末装置２０が買物データを受信する時の動作は、第１の実施形態と略同様である。
【００８０】
ただし、外部サーバ４０がブログサーバまたは情報共有サーバである場合、端末装置２０は、第１の実施形態においては、店舗の位置情報に対応付けられた買物データを受信し報知するのに対して、本実施形態においては、店舗の位置に対応する位置情報（店舗の位置から所定の範囲内にある位置を示す位置情報）に対応付けられた買物データを受信し報知する。
【００８１】
また、外部サーバ４０がメールサーバである場合、端末装置２０は、第１の実施形態においては、店舗の位置情報に対応付けられた買物データを報知するのに対して、本実施形態においては、店舗の位置に対応する位置情報（店舗の位置から所定の範囲内にある位置を示す位置情報）に対応付けられた買物データを報知する。
（２−３）第２の実施形態の効果
本実施形態の効果は、第１の実施形態と同様である。
【００８２】
以上、実施形態を参照して本発明を説明したが、本発明は上記実施形態に限定されるものではない。本発明の構成や詳細には、本発明の範囲内で当業者が理解し得る様々な変更をすることができる。
【００８３】
例えば、上記実施形態においては、端末装置１０は買物データの送信機能のみを備え、端末装置２０は買物データの受信機能のみを備えるものとして説明したが、１つの端末装置が送信機能と受信機能との両方を備えていても良い。
【００８４】
なお、本発明の端末装置１０，２０にて行われる方法は、コンピュータに実行させるためのプログラムに適用してもよい。また、そのプログラムを記憶媒体に格納することも可能であり、ネットワークを介して外部に提供することも可能である。
【符号の説明】
【００８５】
１０    端末装置
１１    データ取得部
１２    記憶制御部
１３    記憶部
１４    決定部
１５    位置情報取得部
１６    送信部
２０    端末装置
２１    検出部
２２    記憶部
２３    受信部
２４    報知部
３０    店舗サーバ
３１    送受信部
３２    記憶部
４０    外部サーバ
４１    送受信部
４２    記憶部
５０    ネットワーク
【図１】
2013178625.tif 000003
【図２】
2013178625.tif 000004
【図３】
2013178625.tif 000005
【図４】
2013178625.tif 000006